(57)【要約】      （修正有）【課題】部屋の内圧について、部屋、及び部屋と異なる位置において、正確な値を表示させることができる部屋の内圧表示システムを提供する。【解決手段】部屋の内圧表示システム１０は、複数の部屋１１に設けられた複数の子機１３及び監視部１２に設けられた親機１４を有する。各子機１３は、微差圧計、子機側制御部、及び子機側表示部２５を備える。親機１４は、親機側制御部、及び親機側表示部３３を備える。子機側制御部は、微差圧計の計測値を取り込んで処理し、子機側表示部２５に表示させる。親機側制御部は、各子機側制御部に対してリクエストを順に送信して、対応の子機側制御部から応答があった場合、処理値を受信し、対応の子機側制御部からの応答がなかった場合、対応の子機側制御部からの処理値の受信をスキップするとともに、受信値を親機側表示部３３に表示させる。【選択図】図１
0003186072.tif 000002
【実用新案登録請求の範囲】
【請求項１】
内部空間の空気を吸引する吸引部がそれぞれ配置された複数の部屋、及び該複数の部屋と異なる位置に配置された監視部を有する施設に設けられた部屋の内圧表示システムであって、
前記部屋の内圧表示システムは、前記複数の部屋のそれぞれに設けられた複数の子機、前記監視部に設けられ前記複数の子機との間で通信を行う親機、及び該親機と前記子機との間に配置された通信ラインを備え、
前記各子機は、前記部屋の内部空間と外部との圧力差を計測する微差圧計、該微差圧計で計測された計測値を処理して送信する前記子機側制御部、及び該子機側制御部で処理した処理値を表示する子機側表示部を備え、
前記親機は、前記処理値の送信を要求するリクエストを前記子機側制御部へ送信し前記子機側制御部から前記処理値を受信する親機側制御部、及び該親機側制御部が受信した受信値を表示する親機側表示部を備え、
前記子機側制御部は、
前記微差圧計の計測値を取り込んで処理した処理値を前記子機側表示部に表示させるように出力するとともに、前記親機制御部からのリクエストに応じて前記処理値を前記親機側制御部に送信し、
前記親機側制御部は、
前記各子機側制御部に対して前記リクエストを順に送信して、対応の前記子機側制御部から応答があった場合、前記処理値を受信し、対応の前記子機側制御部からの応答がなかった場合、対応の前記子機側制御部からの前記処理値の受信をスキップするとともに、
前記受信値を前記親機側表示部に表示させるように出力する
ことを特徴とする部屋の内圧表示システム。
【請求項２】
前記子機側制御部は、前記微差圧計の計測値の取り込みを所定間隔で行い、
前記取り込んだ計測値を平均化処理することを特徴とする請求項１に記載の部屋の内圧表示システム。
【請求項３】
前記親機側制御部の受信値を記憶する記憶手段をさらに備えることを特徴とする請求項１または２に記載の部屋の内圧表示システム。
【考案の詳細な説明】
【技術分野】
【０００１】
本考案は、部屋、特に病院等の空気感染防止用の隔離部屋の内圧表示システムに関する。
【背景技術】
【０００２】
空気感染防止用の隔離部屋を設置した病院がある。隔離部屋では、扉を開けたときに内部の空気が外部に流出しないように、外部に対して内圧が低くなるように設定される。この病院では、看護師等の医療従事者が隔離部屋への入室前に内圧を確認する必要性や、ナースステーション等の隔離部屋とは異なる位置において隔離部屋の内圧を監視する必要性が生じる。
【０００３】
一般に、隔離部屋の外部と内部との差圧は僅かであるため、差圧の計測は微差圧計を用いて行わなければならない。微差圧計の設置において、計測対象の隔離部屋の内部空間と外部空間との両方に通じるエアチューブを設置する必要があるが、エアチューブ内の圧力損失による誤差の発生要因を最小限にするため、設置位置について隔離部屋からの距離的制限がある。そのため、隔離部屋の外部近傍に、隔離部屋の内圧を表示する表示部が設けられるのみであり、隔離部屋とは異なる位置における監視については考慮されていない。
【考案の概要】
【考案が解決しようとする課題】
【０００４】
本考案は、外部に対して陰圧に維持することが要求される部屋の内圧について、前記部屋、及び前記部屋と異なる位置において、正確な値を表示させることができる部屋の内圧表示システムを提供することを課題とする。
【課題を解決するための手段】
【０００５】
前記課題を解決するための手段として、本考案の部屋の内圧表示システムは、内部空間の空気を吸引する吸引部がそれぞれ配置された複数の部屋、及び該複数の部屋と異なる位置に配置された監視部を有する施設に設けられた部屋の内圧表示システムであって、前記部屋の内圧表示システムは、前記複数の部屋のそれぞれに設けられた複数の子機、前記監視部に設けられ前記複数の子機との間で通信を行う親機、及び該親機と前記子機との間に配置された通信ラインを備え、前記各子機は、前記部屋の内部空間と外部との圧力差を計測する微差圧計、該微差圧計で計測された計測値を処理して送信する前記子機側制御部、及び該子機側制御部で処理した処理値を表示する子機側表示部を備え、前記親機は、前記処理値の送信を要求するリクエストを前記子機側制御部へ送信し前記子機側制御部から前記処理値を受信する親機側制御部、及び該親機側制御部が受信した受信値を表示する親機側表示部を備え、前記子機側制御部は、前記微差圧計の計測値を取り込んで処理した処理値を前記子機側表示部に表示させるように出力するとともに、前記親機制御部からのリクエストに応じて前記処理値を前記親機側制御部に送信し、前記親機側制御部は、前記各子機側制御部に対して前記リクエストを順に送信して、対応の前記子機側制御部から応答があった場合、前記処理値を受信し、対応の前記子機側制御部からの応答がなかった場合、対応の前記子機側制御部からの前記処理値の受信をスキップするとともに、前記受信値を前記親機側表示部に表示させるように出力することを特徴とする。
【０００６】
この構成によれば、微差圧計で計測した部屋の内圧を子機側制御部で処理して、その処理値を子機側表示部に出力するので、部屋の内圧について子機側表示部で正確な値を表示させることができる。また、親機側制御部からのリクエストにより、子機の処理値を送信させることができ、親機側制御部で受信した受信値を親機側表示部に出力することができるので、部屋の内圧について親機側表示部で正確な値を表示させることができる。したがって、部屋、及び前記部屋と異なる位置の両方において、部屋の内圧について正確な値を表示させることができる。
【０００７】
前記子機側制御部は、前記微差圧計の計測値の取り込みを所定間隔で行い、前記取り込んだ計測値を平均化処理することが好ましい。この構成によれば、微差圧計の計測値の精度を高めることができる。
【０００８】
前記親機側制御部の受信値を記憶する記憶手段をさらに備えることが好ましい。この構成によれば、親機側制御部の受信値を記憶手段に記憶できるので、その受信値を後で確認することができ、部屋の内圧変化の推移を確認できる。
【考案の効果】
【０００９】
本考案によれば、部屋、及び前記部屋と異なる位置の両方において、部屋の内圧について正確な値を表示させることができる。
【図面の簡単な説明】
【００１０】
【図１】本考案にかかる部屋の内圧表示システムの概略図。
【図２】部屋の内圧を計測する子機の設置状態を示す図。
【図３】子機及び親機の構成を示す図。
【図４】子機の動作を示すフローチャート。
【図５】親機の動作を示すフローチャート。
【考案を実施するための形態】
【００１１】
以下、本発明の実施の形態を図面に従って説明する。
【００１２】
図１は、本考案にかかる部屋の内圧表示システムの概略図である。部屋の内圧表示システム１０は、空気感染防止用の複数の隔離部屋１１、及び該隔離部屋１１と異なる位置に配置された監視部１２を有する病院等の施設に設けられるものである。本実施形態における隔離部屋１１の部屋数は８である。
【００１３】
部屋の内圧表示システム１０は、各隔離部屋１１に設けられた子機１３、本実施形態の監視部であるナースステーション１２に設けられた親機１４、各子機１３と親機１４との間に通信可能に配置された通信ライン１５を備えている。
【００１４】
図２に示すように、隔離部屋１１は、４方を囲む側壁１６、床１９、及び天井２１により内部空間１７が画定された部屋である。隔離部屋１１は、天井１８を有する通路１９ａに隣接している。通路１９ａに面する隔離部屋１１の側壁１６には、扉２０が設けられている。隔離部屋１１の天井２１には、内部空間１７の空気を吸引する吸引部２２が設けられている。図２において、通信ライン１５はその記載を省略している。
【００１５】
図３に示すように、子機１３は、微差圧計２３、子機側制御部２４、及び子機側表示部２５を備えている。
【００１６】
微差圧計２３は、フロー式差圧計である。図２に示すように、微差圧計２３は、隔離部屋１１の側壁１６と通路１９ａの天井１８とに接するように設けられている。微差圧計２３は、内部に熱量の変化を検出する検出部（図示せず）を備えている。微差圧計２３は、検出部（図示せず）と連通する第１連通口２６及び第２連通口２７を備えている。第１連通口２６には、端部が隔離部屋１１の室外である通路１９ａの天井１８の上方空間２８と連通するエアチューブ２９が設けられている。第２連通口２７には、端部が隔離部屋１１の内部空間１７（室内）と連通するエアチューブ３０が設けられている。微差圧計２３は、隔離部屋１１の室内と室外との間の圧力差により生じる気流を検出部（図示せず）に通して、奪われた熱量に基づいて差圧を計測するものである。微差圧計２３は、前記差圧の計測値を子機側制御部２４に出力するようになっている。
【００１７】
子機側制御部２４は、微差圧計２３で計測された計測値を所定の間隔で取り込み、取り込んだ複数の計測値を平均化処理し、処理値を子機側表示部２５に出力するとともに、親機側制御部３２からのリクエストを処理するようになっている。
【００１８】
子機側表示部２５は、子機側制御部２４から出力された処理値をデジタル表示する表示窓を備えている。
【００１９】
親機１４は、親機側制御部３２、及び親機側表示部３３を備えている。
【００２０】
親機側制御部３２は、子機１３の処理値の送信を要求するリクエストを子機側制御部２４へ送信し、子機１３から前記処理値を受信し、受信した最新の受信値を親機側記憶手段（図示せず）に出力するようになっている。親機側記憶手段（図示せず）は、子機１３の接続可能な最大数に対応する数の受信値記憶領域を有し、前記出力された受信値を記憶するようになっている。親機側制御部３２は、親機側記憶手段（図示せず）の受信値記憶領域から特定の子機の受信値を読み出し親機側表示部３３に出力する切替スイッチ（切替部）３４を備えている。切替スイッチ３４を押すことにより、子機番号と、対応する子機１３の受信値とが順に切り替わるようになっている。親機側制御部３２は受信値をアナログ変換して後述する記憶手段３５に出力するＡＤコンバータを備えている。親機側制御部３２は、８の出力を有し、出力ライン３８を介して後述する記憶手段３５に接続される。
【００２１】
親機側表示部３３は、子機番号、及び前記子機１３に対応する受信値をデジタル表示する表示窓を備えている。子機番号を表示する子機番号表示部３６は、表示窓の左部分に配置されている。
【００２２】
通信ライン１５は、ケーブル、及びケーブルの両端に設けられ子機１３、及び親機１４とそれぞれ接続される接続部(図示せず)を備えている。本実施形態における接続部はＲＳ−４８５である。
【００２３】
病院（施設）には、親機１４の受信値を記憶する記憶手段３５が設けられている。記憶手段３５は、病院の集中管理室３７に設けられている。記憶手段３５と親機１４とは、出力ライン３８を介して接続されている。本実施形態の部屋の内圧表示システム１０は、２４時間連続して稼働するように設定されている。記憶手段３５に蓄積された受信値を参照することにより、隔離部屋１１の内圧変化の推移が確認できるようになっている。
【００２４】
本考案の部屋の内圧表示システム１０の動作について説明する。図４、及び図５は、それぞれ内圧表示システム１０の子機１３、及び親機１４の動作を示すフローチャートである。これらのフローチャートは、内圧表示システム１０の図示しない開始スイッチがオンされると開始され、オフされると終了する。
【００２５】
図４に示すように、子機１３において、微差圧計２３は、隔離部屋１１の内部空間１７の内圧（室外に対する差圧）を計測する（ステップＳ１）。内圧が計測されると、微差圧計２３は、計測値を子機側制御部２４に出力する。
【００２６】
子機側制御部２４は、微差圧計２３により出力された計測値を所定時間の間、所定の間隔で複数取り込み（ステップＳ２）、取り込んだ複数の計測値を平均化処理し（ステップＳ３）、処理値を子機側表示部２５に出力する。この出力により、子機側表示部２５は、表示窓において処理値をデジタル表示する（ステップＳ４）。
【００２７】
次に、子機側制御部２４は、子機１３の処理値の送信を要求する親機側制御部３２からのリクエスト（通信）があったか否かを判定する（ステップＳ５）。
【００２８】
リクエスト（通信）があった場合（ステップＳ５：Ｙｅｓ）、処理値である内圧値のデータを親機側制御部３２に送信（出力）し、ステップＳ１に戻る。
【００２９】
リクエスト（通信）がなかった場合（ステップＳ５：Ｎｏ）、ステップＳ１に戻る。
【００３０】
図５に示すように、親機１４において、親機側制御部３２は、子機１３の処理値（データ）の送信を要求するリクエストを子機側制御部２４へ送信する（ステップＳ１１）。
【００３１】
次に、親機側制御部３２は、子機側制御部２４から子機１３の処理値の送信があったか否かを判定する（ステップＳ１２）。
【００３２】
子機１３からの処理値の送信があった場合（ステップＳ１２：Ｙｅｓ）、処理値である内圧値のデータを親機側記憶手段（図示せず）に格納する（ステップＳ１３：Ｙｅｓ）。
【００３３】
子機１３からの処理値の送信がなかった場合（ステップＳ１２：Ｎｏ）、内圧値のデータを親機側記憶手段（図示せず）に格納しない（ステップＳ１４）。
【００３４】
次に、親機側制御部３２は、切替スイッチ３４がオンされたか否かを判定する（ステップＳ１５）。
【００３５】
切替スイッチ３４がオンされていた場合（ステップＳ１５：Ｙｅｓ）、親機側制御部３２は親機側表示部３３のデジタル表示を切り替え（ステップＳ１６）、デジタル表示させ（ステップＳ１７）、親機側記憶手段（図示せず）から読み出した受信値をアナログ変換（４−２０ｍＡに変換）して記憶手段３５に出力する（ステップＳ１８）。
【００３６】
切替スイッチ３４がオンされていなかった場合（ステップＳ１５：Ｎｏ）、一定時間経過したか判定する（ステップＳ１９）。
【００３７】
一定時間経過していた場合、デジタル表示をオフし（ステップＳ２０）、親機側記憶手段（図示せず）から読み出した受信値をアナログ変換（４−２０ｍＡに変換）して記憶手段３５に出力する（ステップＳ１８）。
【００３８】
一定時間経過していなかった場合、親機側記憶手段（図示せず）から読み出した受信値をアナログ変換（４−２０ｍＡに変換）して記憶手段３５に出力する（ステップＳ１８）。
【００３９】
部屋の内圧表示システム１０では、記憶手段３５は、親機１４のデータを格納する。
【００４０】
本考案によれば、微差圧計２３で計測した隔離部屋１１の内圧を子機側制御部２４で処理して、その処理値を子機側表示部２５に出力するので、隔離部屋１１の内圧について子機側表示部２５で正確な値を表示させることができる。また、親機側制御部３２からのリクエストにより、子機１３の処理値を送信させることができ、親機側制御部３２で受信した受信値を親機側表示部３３に出力することができるので、隔離部屋１１の内圧について親機側表示部３３で正確な値を表示させることができる。したがって、隔離部屋１１、及び隔離部屋１１と異なる位置の両方において、隔離部屋１１の内圧について正確な値を表示させることができる。また、この構成によれば、微差圧計２３の計測値の精度を高めることができる。
【００４１】
また、親機側制御部３２の受信値を記憶手段３５に記憶できるので、その受信値を後で確認することができ、隔離部屋１１の内圧変化の推移を確認できる。
【００４２】
親機側表示部３３は、切替スイッチ３４による切り替え表示を採用することにより、表示窓の大きさを比較的小さく構成でき、消費電力を抑制できる。また、親機側表示部３３は，必要時に切替スイッチ３４を押して比較的小さい表示窓で内圧を表示し、一定時間経過後表示が消えるように構成しているので、夜間等に不必要に点灯されることを排除でき、病院の通行人にストレスを与えることを回避できる。
【００４３】
隔離部屋１１の側壁１６にデジタル微差圧計２３を有する子機１３を設けているので、エアチューブ２９，３０の長さが長くなることを回避でき隔離部屋１１の内圧の計測誤差を低減できる。また、子機１３の計測値をデジタルデータで親機１４の親機側制御部３２に送信できるので、エアチューブを長くしたシステムやアナログ微差圧計を有するシステムと比較して、親機側表示部３３において、誤差が生じる可能性を格段に低下させることができる。
【００４４】
なお、本考案の部屋の内圧表示システム１０は、前記実施形態に限定されるものではなく、種々の変更が可能である。例えば、記憶手段３５は、親機１４に設けてもよい。
【符号の説明】
【００４５】
１０  部屋の内圧表示システム
１１  隔離部屋
１２  ナースステーション（監視部）
１３  子機
１４  親機
１５  通信ライン
１６  側壁
１７  内部空間
１８  天井
１９  床
１９ａ  通路
２０  扉
２１  天井
２２  吸引部
２３  微差圧計
２４  子機側制御部
２５  子機側表示部
２６  第１連通口
２７  第２連通口
２８  上方空間
２９  エアチューブ
３０  エアチューブ
３２  親機側制御部
３３  親機側表示部
３４  切替スイッチ（切替部）
３５  記憶手段
３６  子機番号表示部
３７  集中管理室
３８  出力ライン
【図１】
0003186072.tif 000003
【図２】
0003186072.tif 000004
【図３】
0003186072.tif 000005
【図４】
0003186072.tif 000006
【図５】
0003186072.tif 000007